(57)【特許請求の範囲】
【請求項１】
多数のスチール製のスラットを上下に連結したシャッターパネルの両側端をガイドレールで保持して昇降させるシャッターであって、スラットの長手方向に延設された軸芯の回りに回動可能に取り付けられた錠操作板を回動させることにより解錠操作が可能な錠装置を取り付けたシャッターにおいて、
スラットの一つと代替されるスチール製の錠用スラットを、錠用スラットの上端に長手方向に延設された上カール部を上方に位置するスラットの下端に長手方向に延設された下カール部に掛止させると共に、錠用スラットの下端に長手方向に延設された下カール部に下方に位置するスラットの上端に長手方向に延設された上カール部を掛止させて、シャッターパネルの上下中間位置に取り付け、
長手方向に延びる支持軸を部屋内側に突出形成し、スラット長手方向全長に亘って同じ断面形状をしており、その上端には上方に位置するスラットの下カール部に掛止されるフック部を、下端には下方に位置するスラットの上カール部と錠用スラットとの間に挿入される下向きの突片を設けてなる取付ベースを錠用スラットの裏面側に取り付け、
錠操作板を取付ベースの支持軸を軸芯としてその回りに回動可能に取り付けてなるシャッター。
【発明の詳細な説明】
【０００１】
【発明の属する技術分野】
本発明は、住宅の窓等、開口部の外側に取り付けられるシャッターのうち、特に開口部のほぼ全幅に亘る長さの錠操作板をスラットの長手方向に設定された軸芯の回りに回動可能に取り付け、この錠操作板を回動させることで解錠することができる錠装置を取り付けたシャッターに関するものである。
【０００２】
【従来の技術】
本出願人は、シャッターが取り付けられる開口のほぼ全幅に亘る長さの錠操作板をスラットの長手方向に設定された軸芯の回りに回動可能に取り付け、この錠操作板を回動させることによってスラットの両端に設けた係止体を操作して解錠することができる錠装置を取り付けたシャッターを提案している（特開平１１−１５２９７５号公報）。この錠装置によれば、通常、シャッターの内側に設けられている引違い式の窓の左右何れかを僅かに開けるだけで解錠操作を行うことができ、しかも錠装置の取り付けをシャッター上下方向任意の位置とすることができるので楽な姿勢で解錠操作を行うことができる。
【０００３】
【発明が解決しようとする課題】
通常のスラットはスチール板をロール成形して得られるが、スラットの長手方向に錠操作板を回動可能に取り付けるための回動軸を設ける錠用スラットは、それに適した断面形状が容易に得られるアルミや樹脂等の押出し成形材を用いるのが通常である。又、曲げ等に抗するためにはある程度の剛性が必要であるが、このような押出し成形材を用いれば、それも充足するのも理由の一つである。このような材質からなる錠用スラットを楽な姿勢で解錠操作を行うことができるシャッター上下方向の中間位置に取り付けると、火災が起こった場合に融解されてシャッターパネルが脱落してしまう危険性がある。シャッターパネルの最下端に錠用スラットを取り付ければ、仮に火災でスラットが融解してもシャッターパネルが脱落してしまう危険性はないが、特に掃出し窓等の高さ寸法の大きな開口に取り付けたシャッターの場合、解錠操作のときに大きく屈まなければならない。
【０００４】
本発明は、このような課題を解決するものであり、シャッターパネル幅方向の任意の位置から解錠操作が可能で、かつシャッターパネルの上下任意の位置に取り付けできる錠装置を備え、しかも防火性能を満足させることができるシャッターを提供することを目的としている。
【０００５】
【課題を解決するための手段】
以上の課題の下、本発明は、多数のスチール製のスラットを上下に連結したシャッターパネルの両側端をガイドレールで保持して昇降させるシャッターであって、スラットの長手方向に延設された軸芯の回りに回動可能に取り付けられた錠操作板を回動させることにより解錠操作が可能な錠装置を取り付けたシャッターにおいて、
スラットの一つと代替されるスチール製の錠用スラットを、錠用スラットの上端に長手方向に延設された上カール部を上方に位置するスラットの下端に長手方向に延設された下カール部に掛止させると共に、錠用スラットの下端に長手方向に延設された下カール部に下方に位置するスラットの上端に長手方向に延設された上カール部を掛止させて、シャッターパネルの上下中間位置に取り付け、
長手方向に延びる支持軸を部屋内側に突出形成し、スラット長手方向全長に亘って同じ断面形状をしており、その上端には上方に位置するスラットの下カール部に掛止されるフック部を、下端には下方に位置するスラットの上カール部と錠用スラットとの間に挿入される下向きの突片を設けてなる取付ベースを錠用スラットの裏面側に取り付け、
錠操作板を取付ベースの支持軸を軸芯としてその回りに回動可能に取り付けてなるシャッターを提供するものである。
【０００６】
上記の手段をとることにより、施錠及び解錠操作が容易なシャッターでありながらも、シャッターパネルの外面は全面がスチール製のスラットで構成されることになり（シャッターパネル最下端のスラットはスチール製でなくても可）、シャッターパネルが焼け落ちることのない防火仕様のシャッターを実現する。
【０００７】
【発明の実施の形態】
以下、本発明の実施の形態を図面を参照して説明する。図１はシャッターの要部斜視図、図２は要部裏面図、図３は横断面図（図２のＡ−Ａ断面図）、図４はシャッターの裏面図、図５は側面図であるが、本例のシャッターは、薄いスチール板からなる多数のスラット１を上下に連結したシャッターパネル（以下、パネルという）２を上方のドラム３に巻き、その左右両端を断面コ字形のガイドレール４に挿入して保持しているものである。尚、本例のパネル２の昇降は、パネル２を直接手で持って上下させる手動式のものである。このとき、ドラム３にはバネが組み込まれており（図示省略）、パネル２の重量をバランスさせてある。
【０００８】
スラット１同士は、各スラット１の上端に長手方向に延設された部屋外向きに巻き込んだ形状の上カール部１ａを各スラット１の下端に長手方向に延設された部屋内向きに巻き込んだ形状の下カール部１ｂに掛止させて連結している。このとき上カール部１ａの先端部分に形成した水平部１ｃの先端面を下カール部１ｂの下部に形成した垂直部１ｄに当接させる構造とし、スラット１相互のガタを少なくするようにしている。これによりパネル２を上下動させたときに発生する操作音が低減される。
【０００９】
錠装置は、ガイドレール４内に固定される係止具５と、スラット１の一つと代替される錠用スラット６と、錠用スラット６の左右両端に取り付けられ特定の動きをして係止具５に係脱する係止体７と、同じく錠用スラット６の部屋内側に取り付けられる取付ベース８と、更に取付ベース８の裏面側（部屋内側）に取り付けられて係止体７に協働作用をさせる錠操作板９とからなる。
【００１０】
この場合の錠用スラット６は薄いスチール板からなり、上方に位置するスラット１の下カール部１ｂに錠用スラット６の上端に部屋外向きに巻き込み形成した上カール部６ａを掛止させると共に、錠用スラット６の下端に部屋内向きに巻き込み形成した下カール部６ｂに下方に位置するスラット１の上カール部１ａを掛止させて、上下端に各スラット１を連結させたものである。この時、錠用スラット６の下カール部６ｂにもスラット１同様に垂直部６ｃを形成し、スラット１の水平部１ｃの先端を当接させてガタを少なくするようにしている。そして、錠用スラット６はパネル２の上下中間位置に挿設されることから当然にドラム３に巻き取られるが、このときの巻取りをスラット１と同様にするため、その上下寸法及び厚さもスラット１とほぼ同じに設定されるのが好ましいが、本例のようにドラム３への巻取りに差し障りのない範囲で上下丈を大きめに設定した方が、後述する錠操作板９の操作性が向上する。
【００１１】
取付ベース８は、錠用スラット６の裏面に沿うフラット部８ａを有し、上端にはスラット長手方向に延びて部屋外向きに巻き込んだ形状のフック部８ｂを、下端にはスラット長手方向に延びる下向きの突片８ｃを設けている。フック部８ｂは上方に位置するスラット１の下カール部１ｂに掛止され、錠用スラット６の上カール部６ａによっても掛止された構造である。下端の突片８ｃは、錠用スラット６の下方に位置するスラット１の上カール部１ａと錠用スラット６との間に挿入されている。フラット部８ａ上部寄りの部屋内側には先端が断面円形状に形成された支持軸８ｄが突設され、ここに後述する錠操作板が回動可能に軸支される。更に、フラット部８ａ下端の部屋内側には、パネル２を下降させるときの指掛け部８ｅを突設している。取付ベース８はスラット長手方向全長に亘って同じ断面形状をしているのが好ましく、それには、アルミや樹脂の押出し成形によって製作するのが最もよい。尚、フック部８ｂは上方に位置するスラット１との連結を主目的に設けており、同様の連結構造を有する錠用スラット６の上カール部６ａは、取付ベース８の上部が部屋外側に露出しないようカバーするのが主目的である。このような取付ベース８は、錠用スラット６の裏面にビスやリベットで貼設されている。
【００１２】
係止具５は、下り勾配の斜辺部５ａとその下に連なる水平部５ｂとからなる側面視三角形をしているものであり、ガイドレール４内にビスや熔接等で固定される。係止体７は、回動軸部７ａの両側に係止部７ｂと当接部７ｃをクランク状に形成したクランク棒であり、取付ベース８の両端にビスやリベット等で固定されるブラケット１０によって前後回動可能に長手方向に向けて回動軸部７ａを軸着したものである。ブラケット１０を固定する際、取付ベース８も一緒に錠用スラット６に止め付けるようにしている。又、係止部７ｂはガイドレール４内に延びて係止具５と重合する関係にしてある。
【００１３】
更に、係止部７ｂとブラケット１０との間にはコイル形をしたバネ１１が掛けられており、このバネ１１で係止部７ｂは常時部屋内側に向かって回動するよう弾性付勢されている。但し、当接部７ｃが後述する錠操作板９に当たった位置が回動限界点であり、このとき、係止部７ｂは係止具５の突出方向において水平部５ｂに引っ掛かる位置となるように設定されている。
【００１４】
錠操作板９は、左右の係止体７間に設けられるものであり、左右両端が係止体７の当接部７ｃとブラケット１０との間に入り込んだ状態で、上部にスラット長手方向に延設した断面Ｃ字状の軸着部９ａが、取付ベース８の支持軸８ｄの回りに軸支されて上方回動可能に取り付けてある。錠操作板９の下端部には、パネル２を上昇させる際又は下降させる際の指掛け部９ｂが形成されている。
【００１５】
図６〜図９はこの錠装置の作動状態を示す要部断面図、図１０は同図２中Ａ−Ａ相当断面図であるが、以上の構成により、パネル２を引き降ろすと、係止具５が存在する位置では、係止体７の係止部７ｂが係止具５の斜辺部５ａに当たる（図６）。しかし、係止部７ｂは回動軸部７ａを中心に回動できるから、パネル２の下降に伴って係止部７ｂはバネ１１の力に抗して斜辺部５ａの頂上側に回動し（このとき、錠操作板９は回動しない）、ついにこれを乗り越える付近に到達する（図７）。係止部７ｂが斜辺部５ａを乗り越えると、バネ１１の力で水平部５ｂの下方に回り込み、施錠される（図８）。
【００１６】
これにより、パネル２は、上方へ引き上げられることはない。この場合、錠用スラット６を設ける位置は任意に設定可能であるから、窓の縦寸法や取り付け高さと操作姿勢をどのようにするかによって決定すればよい。一般に、掃出し窓であれば錠用スラット６をパネル２の上下中間位置に設け、腰窓であればパネル２の下方位置に設けておくのがもっとも楽な姿勢で操作できる。又、係止具５を高さ方向に複数設け、任意の高さ位置で施錠できるようにすることもできる。
【００１７】
一方、解錠する場合は、錠操作板９の指掛け部９ｂに指１２を掛けて錠操作板９を支持軸８ｄの回りに上方回動させると、係止部７ｂは係止具５をかわすように部屋外側に回動するから（図９）、この状態を維持している限り、パネル２は上方に引き上げられる。尚、この状態になると図１０に見られるように、錠操作板９の回動は錠操作板９の軸着部９ａ先端に設けた突当部９ｃが支持軸８ｄの付け根部分の上面側に当接して規制されるようになっており、錠操作板９をそのまま指１２で上に持ち上げて行くことでパネル２は上方へ引き上げられる、所謂、ワンアクションによって解錠と引上げが可能になるのである。
【００１８】
こうして錠操作板９は取付ベース８の支持軸８ｄを回動軸として回転し、上記の一連の解錠操作をすることになる。ところで、取付ベース８は左右両端のみが錠用スラット６にブラケット１０と共付けされていることは上述したが、これによると、錠操作板９を回動させたときに取付ベース８が錠用スラット６から浮き上がろうとするが、取付ベース８下端の突片８ｃがスラット１の上カール部１ａに当接して位置規制されるので、左右両端以外での錠用スラット６に対する取付ベース８の接着やビス止めといったものは不要である。尚、このときスラット１の上カール部１ａに設けた水平部１ｃの先端は、錠用スラット６の下カール部６ｂの垂直部６ｃに当接して位置規制されている。
【００１９】
図１１はシャッターの他の実施例を示す図２中Ａ−Ａ相当断面図、図１２は錠操作板９の作動状態を示す断面図である。本例の錠装置は、ガイドレール４内に固定される係止具５と、スラット１の一つと代替される錠用スラット６と、錠用スラット６の左右両端に取り付けられ特定の動きをして係止具５に係脱する係止体７と、同じく錠用スラット６の裏面側に取り付けられて係止体７に協働作用をさせる錠操作板９とからなる。本例における錠操作板９は、上部に設けた軸着部９ａが錠用スラット６の上カール部６ａの回りに軸支されて上方回動可能に取り付けである点が前述の例と大きく異なる。
【００２０】
従って、前述した例の取付ベース８が不要となることから、係止体７の回動軸部７ａを軸着するブラケット１０を錠用スラット６の裏面に直接ビスやリベットで固定する他、取付ベース８の指掛け部８ｅの代わりに錠操作板９の指掛け部９ｂを使用する等の点で異なるが、一方、スラット１と錠用スラット６の連結構造、係止具５と係止体７との関係、並びに錠操作板９と係止体７との関係等は前述した例と同じであるので説明は省略する。取付ベース８を不要とすれば、部品点数や組付け工数の削減によって安価なシャッターを提供できる利点がある。
【００２１】
本例の錠装置を解錠する場合も、錠操作板９を指１２によって支持軸８ｄの回りに上方回動させると、係止部７ｂは係止具５をかわす方向に回動するから（図１２）、この状態を維持している限り、パネル２は上方に引き上げられる。尚、この状態になると、軸着部９ａの先端に形成した突当部９ｃが上方に位置するスラット１の下カール部１ｂに形成した垂直部１ｄに当接して錠操作板９の回動は規制されるようになっている。
【００２２】
【発明の効果】
以上、本発明によれば、従来、錠操作板の取り付けのためにアルミや樹脂の押出し材によっていた錠用スラットをスチール製とすることができたので、防火性能に優れデザイン的にも優れたシャッターを低コストで提供することができる。この場合において、錠操作板を操作したときに力が加わる回動軸をスラットの途中に設けたものでは、スラットに取付ベースを貼設してこれに回動軸を設けることで補強を果たしている。又、回動軸をスラット自体にはそれほど力が加わらない上方のものとの連結軸に設定したものでは、取付ベースを廃することで部材の省略化を果たしている。
【図面の簡単な説明】
【図１】本発明の一例を示すシャッターの要部斜視図である。
【図２】本発明の一例を示すシャッターの要部裏面図である。
【図３】本発明の一例を示すシャッターの図２中Ａ−Ａ断面図である。
【図４】本発明の一例を示すシャッターの裏面図である。
【図５】本発明の一例を示すシャッターの側面図である。
【図６】本発明の一例を示すシャッターの作動状態の要部断面図である。
【図７】本発明の一例を示すシャッターの作動状態の要部断面図である。
【図８】本発明の一例を示すシャッターの作動状態の要部断面図である。
【図９】本発明の一例を示すシャッターの作動状態の要部断面図である。
【図１０】本発明の一例を示すシャッターの作動状態の図２中Ａ−Ａ相当断面図である。
【図１１】本発明の他の例を示すシャッターの錠装置の図２中Ａ−Ａ相当断面図である。
【図１２】本発明の他の例を示すシャッターの作動状態の図２中Ａ−Ａ相当断面図である。
【符号の説明】
１      スラット
１ａ    上カール部
１ｂ    下カール部
１ｃ    水平部
１ｄ    垂直部
２      シャッターパネル
３      ドラム
４      ガイドレール
５      係止具
５ａ    斜辺部
５ｂ    水平部
６      錠用スラット
６ａ    上カール部
６ｂ    下カール部
６ｃ    垂直部
７      係止体
７ａ    回動軸部
７ｂ    係止部
７ｃ    当接部
８      取付ベース
８ａ    フラット部
８ｂ    フック部
８ｃ    突片
８ｄ    支持軸
８ｅ    指掛け部
９      錠操作板
９ａ    軸着部
９ｂ    指掛け部
９ｃ    突当部
１０    ブラケット
１１    バネ
１２    指
【図１】
0004582898.tif 000002
【図２】
0004582898.tif 000003
【図３】
0004582898.tif 000004
【図４】
0004582898.tif 000005
【図５】
0004582898.tif 000006
【図６】
0004582898.tif 000007
【図７】
0004582898.tif 000008
【図８】
0004582898.tif 000009
【図９】
0004582898.tif 000010
【図１０】
0004582898.tif 000011
【図１１】
0004582898.tif 000012
【図１２】
0004582898.tif 000013